(57)【要約】【課題】この発明は、インターロックの解除用カードにより、２枚扉を同時開放する為、スムーズな通行処理が可能となる。【解決手段】この発明は、ＩＣカード等を用いた、入退管理システムのインターロック仕様の扉を、解除カードにより検定を行った際には、インターロックを解除し、２枚扉を同時開放するようにしたものである。【選択図】    図１
2004339702.tif 000002
【特許請求の範囲】
【請求項１】
ＩＤ番号、台車利用情報が記憶されているＩＤカードの利用により第１、第２の扉を備えた前室を介して区画領域内への入室が行われる入室管理システムにおいて、
上記ＩＤカードに記憶されているＩＤ番号、台車利用情報を読取る読取手段と、
この読取手段により上記ＩＤカードからＩＤ番号を読取った際に、上記ＩＤカードの携帯者の区画領域内への入室を許可する第１の許可手段と、
この第１の許可手段により区画領域内への入室が許可された際に、上記第１の扉を開き、第１の所定時間後に上記第１の扉を閉じ、この第１の扉が閉じられた後、上記第２の扉を開き、第２の所定時間後に上記第２の扉を閉じる第１の処理手段と、
上記読取手段により少なくとも１枚のＩＤカードからＩＤ番号と台車利用情報を読取った際に、上記ＩＤカードの携帯者と台車との区画領域内への入室を許可する第２の許可手段と、
この第２の許可手段により区画領域内への入室が許可された際に、上記第１、第２の扉を開き、第３の所定時間後に上記第１、第２の扉を閉じる第２の処理手段と、を具備したことを特徴とする入室管理システム。
【請求項２】
上記第１、第２の扉を開く際には扉の解錠を伴い、上記第１、第２の扉を閉じる際には扉の施錠を伴うものであることを特徴とする請求項１に記載の入室管理システム。
【請求項３】
ＩＤ番号、台車利用情報が記憶されているＩＤカードの利用により第１、第２の扉を備えた前室を介して区画領域内への入室、あるいは区画領域から上記前室を介しての退出が行われる入退室管理システムにおいて、
上記前室外かつ上記区画領域外の第１の扉の近傍に設けられ、上記ＩＤカードに記憶されているＩＤ番号、台車利用情報を読取る第１の読取手段と、
この第１の読取手段により上記ＩＤカードからＩＤ番号を読取った際に、上記ＩＤカードの携帯者の区画領域内への入室を許可する第１の許可手段と、
この第１の許可手段により区画領域内への入室が許可された際に、上記第１の扉を開き、第１の所定時間後に上記第１の扉を閉じ、この第１の扉が閉じられた後、上記第２の扉を開き、第２の所定時間後に上記第２の扉を閉じる第１の処理手段と、
上記第１の読取手段により少なくとも１枚のＩＤカードからＩＤ番号、台車利用情報を読取った際に、上記ＩＤカードの携帯者と台車との区画領域内への入室を許可する第２の許可手段と、
この第２の許可手段により区画領域内への入室が許可された際に、上記第１、第２の扉を開き、第３の所定時間後に上記第１、第２の扉を閉じる第２の処理手段と、
上記前室外かつ上記区画領域内の第２の扉の近傍に設けられ、上記ＩＤカードに記憶されているＩＤ番号、台車利用情報を読取る第２の読取手段と、
この第２の読取手段により上記ＩＤカードからＩＤ番号を読取った際に、上記ＩＤカードの携帯者の区画領域外への退室を許可する第３の許可手段と、
この第３の許可手段により区画領域外への退室が許可された際に、上記第２の扉を開き、第１の所定時間後に上記第２の扉を閉じ、この第２の扉が閉じられた後、上記第１の扉を開き、第２の所定時間後に上記第１の扉を閉じる第３の処理手段と、
上記第２の読取手段により少なくとも１枚のＩＤカードからＩＤ番号、台車利用情報を読取った際に、上記ＩＤカードの携帯者と台車との区画領域外への退室を許可する第４の許可手段と、
この第４の許可手段により区画領域外への退室が許可された際に、上記第１、第２の扉を開き、第３の所定時間後に上記第１、第２の扉を閉じる第４の処理手段と、を具備したことを特徴とする入退室管理システム。
【請求項４】
上記第１、第２の扉を開く際には扉の解錠を伴い、上記第１、第２の扉を閉じる際には扉の施錠を伴うものであることを特徴とする請求項３に記載の入退室管理システム。
【請求項５】
ＩＤ番号、台車利用情報が記憶されているＩＤカードの利用により第１、第２の扉を備えた前室を介して区画領域内への入室が行われる入室管理方法において、
上記ＩＤカードに記憶されているＩＤ番号、台車利用情報を読取る読取工程と、
この読取工程により上記ＩＤカードからＩＤ番号を読取った際に、上記ＩＤカードの携帯者の区画領域内への入室を許可する第１の許可工程と、
この第１の許可工程により区画領域内への入室が許可された際に、上記第１の扉を開き、第１の所定時間後に上記第１の扉を閉じ、この第１の扉が閉じられた後、上記第２の扉を開き、第２の所定時間後に上記第２の扉を閉じる第１の処理工程と、
上記読取工程により少なくとも１枚のＩＤカードからＩＤ番号、台車利用情報を読取った際に、上記ＩＤカードの携帯者と台車との区画領域内への入室を許可する第２の許可工程と、
この第２の許可工程により区画領域内への入室が許可された際に、上記第１、第２の扉を開き、第３の所定時間後に上記第１、第２の扉を閉じる第２の処理工程と、を具備したことを特徴とする入室管理方法。
【発明の詳細な説明】
【０００１】
【発明の属する技術分野】
この発明は、ＩＤカードにより二重ドアにより管理される前室を介して区画領域内へ入室を管理する入室管理システムと入室管理方法と区画領域内からの退室も管理する入退室管理システムに関する。
【０００２】
【従来の技術】
企業や銀行や官庁等の建物ではセキュリティを目的として、ＩＤカードと二重ドアにより管理される前室を介して区画領域内外への入退室を管理する入退室管理システムが実用化されている。
【０００３】
この場合、通行検定箇所に設置されたカードリーダにより、通行者が携帯する非接触ＩＣカード等の読取りを行い、検定判定・電気錠・扉の開閉制御を行う入退室コントローラにより、通行可否判定を行い、通行可の判定がなされた場合には電気錠の解錠等を行うものである。
【０００４】
したがって、立入箇所（区画領域）の出入り口に二枚扉に仕切られた前室を設け、入出両面にカードリーダを設置すると共に、入退室コントローラによりドア制御を行い、通行時に二枚の扉を同時開放せず。１枚づつ扉の開閉を行う、インターロック制御がある。一般的に錠の施解錠・ドア制御を行う、サーバ装置・制御盤等は、建家内の警備室等に設置され集中管理されている為、インターロック仕様の扉を同時開放する際には、都度、警備室等にドア開放を依頼する必要があった。
【０００５】
【発明が解決しようとする課題】
この発明は、一般のＩＤカードによる通行を行う際には、一般のインターロックのドア制御を行い、一般のＩＤカードとインターロック解除用のＩＤカードとによる通行を行う際には、２枚扉の同時開放を行い、前室の長さと同じ位の台車、あるいは前室より長さの長い台車による通行の利便性を向上させることを目的としている。
【０００６】
【課題を解決するための手段】
この発明の入室管理システムは、ＩＤ番号、台車利用情報が記憶されているＩＤカードの利用により第１、第２の扉を備えた前室を介して区画領域内への入室が行われるものにおいて、上記ＩＤカードに記憶されているＩＤ番号、台車利用情報を読取る読取手段と、この読取手段により上記ＩＤカードからＩＤ番号を読取った際に、上記ＩＤカードの携帯者の区画領域内への入室を許可する第１の許可手段と、この第１の許可手段により区画領域内への入室が許可された際に、上記第１の扉を開き、第１の所定時間後に上記第１の扉を閉じ、この第１の扉が閉じられた後、上記第２の扉を開き、第２の所定時間後に上記第２の扉を閉じる第１の処理手段と、上記読取手段により少なくとも１枚のＩＤカードからＩＤ番号と台車利用情報を読取った際に、上記ＩＤカードの携帯者と台車との区画領域内への入室を許可する第２の許可手段と、この第２の許可手段により区画領域内への入室が許可された際に、上記第１、第２の扉を開き、第３の所定時間後に上記第１、第２の扉を閉じる第２の処理手段とを有する。
【０００７】
この発明の入室管理システムは、ＩＤ番号、台車利用情報が記憶されているＩＤカードの利用により第１、第２の扉を備えた前室を介して区画領域内への入室、あるいは区画領域から上記前室を介しての退出が行われる入退室管理システムにおいて、上記前室外かつ上記区画領域外の第１の扉の近傍に設けられ、上記ＩＤカードに記憶されているＩＤ番号、台車利用情報を読取る第１の読取手段と、この第１の読取手段により上記ＩＤカードからＩＤ番号を読取った際に、上記ＩＤカードの携帯者の区画領域内への入室を許可する第１の許可手段と、この第１の許可手段により区画領域内への入室が許可された際に、上記第１の扉を開き、第１の所定時間後に上記第１の扉を閉じ、この第１の扉が閉じられた後、上記第２の扉を開き、第２の所定時間後に上記第２の扉を閉じる第１の処理手段と、上記第１の読取手段により少なくとも１枚のＩＤカードからＩＤ番号、台車利用情報を読取った際に、上記ＩＤカードの携帯者と台車との区画領域内への入室を許可する第２の許可手段と、この第２の許可手段により区画領域内への入室が許可された際に、上記第１、第２の扉を開き、第３の所定時間後に上記第１、第２の扉を閉じる第２の処理手段と、上記前室外かつ上記区画領域内の第２の扉の近傍に設けられ、上記ＩＤカードに記憶されているＩＤ番号、台車利用情報を読取る第２の読取手段と、この第２の読取手段により上記ＩＤカードからＩＤ番号を読取った際に、上記ＩＤカードの携帯者の区画領域外への退室を許可する第３の許可手段と、この第３の許可手段により区画領域外への退室が許可された際に、上記第２の扉を開き、第１の所定時間後に上記第２の扉を閉じ、この第２の扉が閉じられた後、上記第１の扉を開き、第２の所定時間後に上記第１の扉を閉じる第３の処理手段と、上記第２の読取手段により少なくとも１枚のＩＤカードからＩＤ番号、台車利用情報を読取った際に、上記ＩＤカードの携帯者と台車との区画領域外への退室を許可する第４の許可手段と、この第４の許可手段により区画領域外への退室が許可された際に、上記第１、第２の扉を開き、第３の所定時間後に上記第１、第２の扉を閉じる第４の処理手段とを有する。
【０００８】
【発明の実施の形態】
以下、図面を参照してこの発明の実施形態の入退室管理システムを説明する。
【０００９】
この入退室管理システムは、図１、図２に示すように、企業や銀行や官庁等の建物内でのセキュリティを目的として、二重（２枚）ドア１、２により管理される前室３を介して区画領域４の内外への入退室を管理するものであり、たとえば、２つの区画領域４、４の内外への入退室の管理を行うものである。
【００１０】
上記入退室管理システムでは、図１に示すように、管理室あるいは管理棟２１に設置されている入退室管理サーバ５とプリンタ６とが備えられている。入退室管理サーバ５とプリンタ６とはＬＡＮ７を介して接続されている。
また、各区画領域４の入退室部（前室３）２２には、入退室制御部としての入退室コントローラ８が備えられている。この入退室コントローラ８は、ＬＡＮ７を介して入退室管理サーバ５と接続されている。
【００１１】
この入退室コントローラ８には、カードリーダ９、１０、上記ドア１、２の開閉機構１１、１２、上記ドア１、２の電気錠１３、１４をコントロールする電気錠コントローラ１５、１６が接続されている。
【００１２】
カードリーダ９、１０は、それぞれ前室３の外側かつドア１、２の近傍に設けられている。カードリーダ９は、エレベータホール側の壁面（前室入口側）に設けられ、カードリーダ１０は、電算機室（矩形領域）４側の壁面に設けられている。
【００１３】
この入退室管理システムで用いられるＩＤカードとしては、一般カードＣａとインターロック解除用カードＣｂとを用いるようになっている。このＩＤカードとしては、ＩＣカードで構成されるが、接触式であって非接触式であっても良い。ただし、カードリーダ９、１０は対応したものとなる。
【００１４】
入退室管理サーバ５はＩＤカードを付与者の情報（ＩＤ番号等）、通行区域の設定情報、通行履歴等の情報により一元的に管理するものである。また、入退室管理サーバ５はＩＤ番号に基づく通行可否判定情報等を入退室コントローラ８に配信するものである。
【００１５】
入退室コントローラ８は、入退室管理サーバ５はＩＤ番号に基づく通行可否判定情報等を保存し、この保存情報とカードリーダ９、１０から送信されるカード情報（ＩＤ番号等）とに基づいて、通行場所の通行可否判定を行う装置である。
【００１６】
また、入退室コントローラ８は、判定結果・機器状態等の履歴情報を、ＬＡＮ７を経由し、入退室管理サーバ５に送信を行う。また、入退室コントローラ８は、電気錠コントローラ１５、１６により電気錠１３、１４の施錠、解錠を行ったり、開閉機構１１、１２により自動ドア１、２に対する開、閉の制御を行い、インターロック機能を実現するものである。
【００１７】
また、入退室コントローラ８は、自動ドア１、２に対する開、閉の制御を行う際に、安全センサ（図示しない）からの検知信号に基づいて、作動するものである。
【００１８】
入退室管理システムにおいて、一般カードＣａの設定、インターロック解除用カードＣｂの設定を入退室管理サーバ５にて行う。設定を行った内容は、オペレータの処理により、各入退室コントローラ８、…に配信をされる。
【００１９】
この配信された一般カードＣａ、インターロック解除用カードＣｂの通行判定情報は、各入退室コントローラ８、…に保存される。
【００２０】
入退室コントローラ８、…により、一般カードＣａによる通行を行う際には、一般のインターロックのドア制御を行い、インターロック解除用カードＣｂによる通行を行う際には、２枚のドア１、２の同時開放を行う。
【００２１】
入退室管理システムにおけるインターロック制御を行っている通行箇所について、一般通行用カード（一般カード）Ｃａに加え、インターロック解除用カード（台車カード）Ｃｂの発行を行い、通行の利便性を向上させるものである。
【００２２】
次に、上記した構成に基づく、一般カードＣａによる通行処理と台車カードＣｂによる通行処理とを、図３に示すフローチャートと、図４に示す一般カード判定時のインターロック処理の説明図と、図５に示す台車カードによるインターロック解除処理の説明図とを用いて説明する。
【００２３】
まず、一般カードＣａのカード保有者は、通行時に、図４の（ａ）に示すように、各管理対象のドア１に近接されているカードリーダ９にそのカードを挿入したり、翳したりして読取り処理を行う（ＳＴ１）。
【００２４】
これにより、カードリーダ９は一般カードＣａに登録されている情報（ＩＤ番号等）を読取り、入退室コントローラ８、…に配信する。たとえば、時間監視により所定時間内に台車カードＣｂのインターロック解除情報と一般カードＣａからのＩＤ番号が読取られた場合である。
【００２５】
入退室コントローラ８はこの配信されたＩＤ番号等に基づいて、一般カードＣａのカード保有者によるドア１内への立ち入りの許可（検定ＯＫ）を判断した際（ＳＴ２、３）、電気錠コントローラ１５により電気錠１３の解錠を行ない、開閉機構１１により自動ドア１を開く（ＳＴ４）。このドア１が開くことにより、図４の（ｂ）に示すように、一般カードＣａのカード保有者は前室３内に入る。
【００２６】
この後、入退室コントローラ８は自動ドア１を開けてから所定時間経過した際（ＳＴ５）、開閉機構１１により自動ドア１を閉じる（ＳＴ６）。そして、図示しない検知器からの検知信号により、入退室コントローラ８はこのドア１が完全に閉じたことを判断した際、電気錠コントローラ１５により電気錠１３の施錠を行ない、開閉機構１１により自動ドア２を開く（ＳＴ７）。このドア２が開くことにより、図４の（ｃ）に示すように、一般カードＣａのカード保有者は前室３内を通過し、電算機室内に入る。
【００２７】
この後、入退室コントローラ８は自動ドア２を開けてから所定時間経過した際（ＳＴ８）、開閉機構１１により自動ドア２を閉じる（ＳＴ９）。
【００２８】
また、図４の（ｃ）に示すような状態で、電算室側からエレベータホール側へ不正に出ようとしても、図４の（ｄ）に示すように、ドア１により阻むことができる。
【００２９】
また、上記ステップ３にてカード保有者によるドア１内への立ち入りの不許可（検定ＮＧ）を判断した際、入退室コントローラ８は、図示しないスピーカにより警報を発報する（ＳＴ１０）。
【００３０】
このように、同時に２枚のドアが開かない機構により、逆方向からの無検定による通行を抑止できる。
【００３１】
また、逆の電算室からエレベータホールへ出る場合も上記同様に実施できる。
【００３２】
次に、一般カードＣａとインターロック解除用カード（台車カード）Ｃｂのカード保有者は、通行時に、図５の（ａ）に示すように、各管理対象のドア１に近接されているカードリーダ９に両方のカードを挿入したり、翳したりして読取り処理を行う（ＳＴ１）。たとえば、時間監視により所定時間内に台車カードＣｂのインターロック解除情報と一般カードＣａからのＩＤ番号が読取られた場合である。
【００３３】
これにより、カードリーダ９は一般カードＣａ、インターロック解除用カード（台車カード）Ｃｂに登録されている情報（ＩＤ番号、インターロック解除情報等）を読取り、入退室コントローラ８、…に配信する。たとえば、時間監視により所定時間内に台車カードＣｂのインターロック解除情報と一般カードＣａからのＩＤ番号が読取られた場合である。
【００３４】
入退室コントローラ８はこの配信されたＩＤ番号、インターロック解除情報等に基づいて、一般カードＣａとインターロック解除用カードＣｂのカード保有者および台車によるドア１内への立ち入りの許可（検定ＯＫ）を判断した際（ＳＴ２、１１）、電気錠コントローラ１５、１６により電気錠１３、１４の解錠を行ない、開閉機構１１、１２により自動ドア１、２の両方を開く（ＳＴ１２）。このドア１、２が開くことにより、図５の（ｂ）（ｃ）に示すように、インターロック解除用カードＣｂのカード保有者は前室３よりも長い台車を電算室内に入れることができる。
【００３５】
この後、入退室コントローラ８は前室３を通過してから所定時間経過した際（ＳＴ１３）、開閉機構１１、１２により自動ドア１、２の両方を閉じ、電気錠コントローラ１５、１６により電気錠１３、１４の施錠を行なう（ＳＴ１４）。
また、上記ステップ１１にてカード保有者によるドア１内への立ち入りの不許可（検定ＮＧ）を判断した際、入退室コントローラ８は、図示しないスピーカにより警報を発報する（ＳＴ１５）。
【００３６】
また、逆の電算室からエレベータホールへ出る場合も上記同様に実施できる。また、上記例では、前室よりも長い台車を扱う場合について説明したが、長い物品あるいは大人数で通過の場合も同様に対処できる。
【００３７】
上記したように、一定の権限を持つ管理者等に一般用カードに加え、インターロックの解除用カードを貸与することにより、前室の長さを越える台車通行時等、２枚扉の同時開放が必要な場合に於いても、警備室等への連絡を行うこと無く、解除用カードを読み取らせるだけで、２枚扉を同時開放する為、スムーズな通行処理が可能となる。
【００３８】
上記例では、台車カードと一般カードとによりインターロックの解除を行ったが、台車カードだけでインターロックの解除を行うようにしてもよい。
【００３９】
【発明の効果】
以上詳述したように、この発明によれば、一般のＩＤカードによる通行を行う際には、一般のインターロックのドア制御を行い、一般のＩＤカードとインターロック解除用のＩＤカードとによる通行を行う際には、２枚扉の同時開放を行い、前室の長さと同じ位の台車、あるいは前室より長さの長い台車による通行の利便性を向上させることができる入室管理システムと入退室管理システムと入室管理方法を提供できる。
【図面の簡単な説明】
【図１】この発明の実施形態を説明するための入退室管理システムの概略構成を示す図。
【図２】二重（２枚）ドアにより管理される前室を説明するための図。
【図３】一般カードによる通行処理と台車カードによる通行処理を説明するためのフローチャート。
【図４】インターロック処理を説明するための図。
【図５】台車カードに，よるインターロック解除処理を説明するための図。
【符号の説明】
１、２…ドア、３…前室、４…区画領域、５…入退室管理サーバ、  ６…ＬＡＮ、８…入退室コントローラ、  ９、１０…カードリーダ、Ｃａ…一般カード、Ｃｂ…インターロック解除用カード。
【図１】
2004339702.tif 000003
【図２】
2004339702.tif 000004
【図３】
2004339702.tif 000005
【図４】
2004339702.tif 000006
【図５】
2004339702.tif 000007